(57)【要約】【課題】  ローラー滑り台を、騒音の発生が抑えられ、幼児や児童の手指などが擦傷するなどの危険性のない滑り台とする。【解決手段】  ローラー滑り台の回転ローラーのローラーシャフトを表面を円滑に仕上げた丸棒とし、その取付け具をナイロン樹脂製の円筒状の軸受けを主体とする構造とし、しかも、ローラーシャフトを左右両側板の間隔と同一、もしくはそれよりも僅かに短く形成して側板の外側面にボルトなどの突起物が突出しないように構成した。【選択図】  図２
2005207566.tif 000002
【特許請求の範囲】
【請求項１】
ローラー滑り台の回転ローラーのローラーシャフトを表面を円滑に仕上げた丸棒とし、その取付け具をナイロン樹脂製の円筒状の軸受けを主体とする構造とし、これを軸受け板の取付け穴に取り付けると共に、ローラーシャフトの端部をこれに嵌めこむように構成したことを特徴とするローラー滑り台の軸受け構造。
【発明の詳細な説明】
【技術分野】
【０００１】  本発明は、ローラー滑り台における軸受け構造に関するものである。
【背景技術】
【０００２】  滑り台は左右の側板の間に滑り面が形成されていて、幼時や児童が滑り面上を滑り降りる遊具であり、側板は安全を確保するための安全壁として機能している。
ローラー滑り台は、滑り面が回転ローラーにより構成されている滑り台である。
回転ローラーは、直径が３０〜６０ｍｍ程度のクッションローラーをローラーシャフトに遊嵌したもので、滑降路の全体にわたって左右の側板の間に殆んど間隔をあけずに取り付けられている。【０００３】  従来のローラー滑り台ではローラーシャフトは両側板の間隔よりも若干長いロングボルトであり、一方の側板から他方の側板に貫通させて、ナットにより固定するようになっている。
【特許文献１】特開平０４−１４５２１２号公報
【発明の開示】
【発明が解決しようとする課題】
【０００４】  ところでこのローラー滑り台を児童などが滑り降りると、クッションローラーが回転することにより人体との摩擦抵抗を少なくしているのであるが、このクッションローラーは児童などが通過した後もすぐに停止することはなく、しばらく空転を続ける。
しかもそのときの振動がロングボルトから側板や、側板に取り付けられている軸受け板に伝わり、カラカラと云う金属音を発する。
この金属音は２０〜３０ｍ程度の距離にまで聞こえる音であり、しかも騒音に近い不快な音であるため、付近の住人にとっては騒音公害ともなっており、静かな住宅地の公園に設置されたローラー滑り台では撤去させざるを得なくなったものさえある。
また、この滑り台ではロングボルトの頭とナットが側板から突出しているため見た目が悪い上に、これに幼児や児童の衣服が引かかって裂断したり、手指が擦傷したりする危険があった。
【課題を解決するための手段】
【０００５】  本発明は、回転ローラーのローラーシャフトを表面を円滑に仕上げた丸棒とし、且つ、それを左右両側板の間隔よりも僅かに短く形成すると共に、その取付け具をナイロン樹脂製の円筒状の軸受けを主体とする構成としたことにより騒音の発生を抑え、危険をなくした構造にしたことを最も主要な特徴とする。
【発明の効果】
【０００６】  本発明のローラー滑り台は、回転ローラーのローラーシャフトを丸棒とし、ナイロン製の軸受けケースにより取付け板に支持させるように構成したことにより、これがローラーシャフトと取付け板との間のスペーサーとなり、クッションローラーが回転しても騒音の発生が抑えられる。
ローラーシャフトの両端部分の軸受けケースに嵌まる部分を軸受けケースのその部分よりも僅かに細く形成してローラーシャフト自体も回転することが出来るようにしたことによりクッションローラーが回転するとこれも回転するので、クッションローラーの回転がより円滑になり、騒音の発生が一層抑えられる。
また、軸受けケースをナイロン樹脂を用いて形成したことにより両者の間に給油をする必要もない。
ローラーシャフトを左右両側板の間隔とほゞ同一若しくは僅かに短く形成したのでこれを取り付けたときにシャフトが側板から突き出すことがなくなり、見た目がよくなる上幼児や児童の手指が擦傷するなどの危険がなくなった。
【発明を実施するための最良の形態】
【０００７】  騒音の発生が抑えられ危険性のない滑り台を得ると云う目的を、回転ローラーのローラーシャフトを表面を円滑に仕上げた丸棒とし、その取付け具を円筒状の軸受けを主体とする構造とし、且つ、それをナイロン樹脂により形成し、しかも、ローラーシャフトを左右両側板の間隔と同一、若しくはそれよりも僅かに短く形成したことにより実現した。
【実施例１】
【０００８】  図１は、ローラー滑り台の概略を示すもので、ローラー滑り台は左右の側板１１、１２と回転ローラー２とからなり、回転ローラー２は両側板の間に並べて取り付けられて滑り面を構成している。
両側板１１と１２との間は４００〜５００ｍｍ程度の間隔があり、滑り面よりも２００〜４００ｍｍ高く形成されていて、滑り台で遊ぶ幼児などの安全壁として機能するようになっている。また、側板の上縁には手摺１３が取り付けられていて、一層の安全が図られている。
側板１１、１２の内側には軸受け板３１、３２が取り付けられており、回転ローラー２はローラーシャフト２１に直径：３０〜６０ｍｍ、長さ：７０〜１００ｍｍ程度のクッションローラー２２が遊嵌されていて、ローラーシャフト２１により側板１１、１２に、更に詳しくは軸受け板３１、３２に取り付けられている。
ローラーシャフト２１は両側板１１、１２の間隔とほゞ同一、若しくはそれよりも僅かに短く形成されており、クッションローラー２２が遊嵌されている部分に対して両端の軸受けケース４に嵌められる部分を若干細くし、両部分の間を段付き構造にして、使用中に横ずれしないようにしてある。
軸受けケース４はローラーシャフト２１の端部を支持する円筒状の軸受けであり、ナイロン樹脂を用いて形成して騒音の発生を抑えると共に、内径をシャフトの端部よりも僅かに（０．５ｍｍ程度）大きくしてローラーシャフト２１も回転することが出来るようにしてある。
軸受けケース４は一種の穴つきボルトであって、軸受け部４１の外周には雄ネジ４２が螺設されていると共に、外側にはレンチ穴４３が形成されており、一方軸受け板３１、３２の取付け穴３３、３４には雌ネジが螺設されていて、軸受け板３１、３２の取付け穴に軸受け部４１をネジ込んで取付けるようになっている。
尚、軸受けケース４の外側には係止鍔４４が形成されていてこれが側板１１、１２に当たって位置きめされるようになっている。【０００９】  滑り台に回転ローラー２を取り付けるときは、先ず、図中左側の側板１１の軸受け板３１に軸受けケース４をねじ付ける。次いで右側の側板１２からローラーシャフト２１を挿し入れ、それにクッションローラー２２を嵌めながら更に挿し込んで先端部を軸受け部４１に突き挿す。
続いて、右側の側板１２（軸受け板３２）に軸受けケース４を取り付ける。すると、ローラーシャフト２１の右端部が軸受け部４１に嵌り、ローラーシャフト２１は左右の軸受けケース４により軸受け板３１、３２に取り付けられることとなる。
【実施例２】
【００１０】  図３に左側の側板１１の軸受け板３１に取り付ける軸受けケースの他の一例を示す。
この軸受けケースは軸受け部４５と係止鍔４６とからなり、係止鍔４６は軸受け部４５の内側に形成されている。
滑り台に回転ローラー２を取り付けるときは、先ず、図中左側の側板１１の軸受け板３１に内側から軸受け４５を嵌め込んで取付ける。次いで右側の側板１２からローラーシャフト２１を挿し入れ、それにクッションローラー２２を嵌めながら更に挿し込んで先端部を軸受け部４５に突き挿し、以下、上記と同様に右側の側板１２（軸受け板３２）に軸受けケース４を取り付ける。
【産業上の利用可能性】
【００１１】  ローラーシャフトの取付け具をナイロン製の、軸受けを兼用したものとしたことにより、冷蔵や取付けの作業が簡単となり、騒音の発生も抑えられるのでローラーシャフトを有する他の機器にも適用できる。
【図面の簡単な説明】
【００１２】
【図１】ローラー滑り台の基本構成を示す説明図である。
【図２】ローラー滑り台の軸受け構造の一例を示す説明図である。
【図３】ローラー滑り台の軸受け構造の他の一例を示す説明図である。
【符号の説明】
【００１３】１１    側板
１２    側板
１３    手摺
２      回転ローラー
２１    ローラーシャフト
２２    クッションローラー
３１    軸受け板
３２    軸受け板
３３    取付け穴
３４    取付け穴
４      軸受けケース
４１    軸受け部
４２    雄ネジ
４３    レンチ穴
４４    係止鍔
４５    軸受け部
４６    係止鍔
【図１】
2005207566.tif 000003
【図２】
2005207566.tif 000004
【図３】
2005207566.tif 000005